(57)【要約】　　　（修正有）【課題】一環作業で生産されて外界物に引っ掛かり損壊しにくいチューブ型発光ダイオードランプ装置の提供。【解決手段】外管中にプラスチック管体が設けられ、該プラスチック管体内部を貫通するように貫通孔が設けられ、別に該貫通孔の径方向に、一定距離ごとにランプ孔が設けられ、２本の金属線束が対称に管体の適当な位置に設けられ、発光ダイオードが各ランプ孔中に挿入され、そのピンが導線で直列に連接され、発光ダイオード、導線がプラスチック管体中に被包されている。【選択図】　　図１
0003098466.tif 000002
【実用新案登録請求の範囲】
【請求項１】
チューブ型発光ダイオードランプ装置において、外管中にプラスチック管体が設けられ、該プラスチック管体の断面の中央より一側に偏った位置に１本の貫通孔が開設され、別に該貫通孔の管体の肉厚の方向に向けて一定距離ごとにランプ孔が開設され、
２本の金属線束がプラスチック管体に対称に嵌設され、
複数の発光ダイオードがプラスチック管体のランプ孔中に挿入され、そのピンが貫通孔内で折り曲げられて八字状とされると共に、導線で直列に連接され、発光ダイオード、導線が完全にプラスチック管体内に被包されたことを特徴とする、チューブ型発光ダイオードランプ装置。
【請求項２】
請求項１記載のチューブ型発光ダイオードランプ装置において、プラスチック管体のランプ孔の外端に、プラスチック管体外側に径方向に沿って１本の導光溝が凹設されたことを特徴とする、チューブ型発光ダイオードランプ装置。
【考案の詳細な説明】
【０００１】
【考案の属する技術分野】
本考案は一種のチューブ型発光ダイオードランプ装置に係り、特に、径方向に複数の発光ダイオードが設けられ、管体が良好な側方向光源を具え、別に、管体内に貫通孔が設けられ、発光ダイオードのピンと導線がそのなかに収容され、一環作業でき、外界からの引っかけを受けてて損壊しにくい、チューブ型発光ダイオードランプ装置に関する。
【０００２】
【従来の技術】
直列ランプ装置は、夜間に室内の装飾に用いられるほか、庭の装飾に用いられ、美しい雰囲気を形成し、これにより、発光する直列ランプ装置は装飾の常用手段とされる。ネオンライトは高価で且つ損壊しやすいため、市場では非ネオンライトのチューブ型ランプ装置が発展した。それは透明な管の内部に直列に連接されたバルブが組み付けられている。周知の構造は図３に示されるようであり、外管５中にプラスチック管体５０が設けられ、断面の中央より一側に偏った部分に、貫通孔５１が回折され、管体５０の貫通孔５１以外の位置に二本の金属線束５２が対称に設けられている。複数の小バルブ６０が直列に連接されてなる直列ランプが、該管体５０の貫通孔５１内に挿入され、小バルブ６０が点灯する時、管体５０を透過してチューブ型ランプ装置が形成される。
【０００３】
この構造の欠点は、小バルブ６０が貫通孔５１の軸方向に設けられ、ゆえにその投射する光もまた管体５０の断面を照らすが、一般に直列ランプ装置はその側面で装飾照明を形成するため、小バルブ６０より管体５０側面に投射する光線が明らかに不足し、外観上も美しくないことである。
【０００４】
図４は周知の第２種の常用構造を示し、それは外管７内に実心のプラスチック管体７０が設けられ、その径方向に沿って２本の対称な金属線束７１が嵌め込まれ、プラスチック管体７０が一定距離ごとにランプ孔７２が設けられ、複数の小バルブ８０が対応するランプ孔７２に挿入され、別にランプの導線８１で小バルブ８０が直列に連接され、小バルブ８０が点灯する時、良好な径方向光彩を具えた直列ランプ装置を形成する。
【０００５】
しかし、この構造は、小バルブ８０が径方向に改められた設計とされ、直列ランプ装置を側方向照射するよう改善しているが、別に新たな欠点を発生し、即ち、外部に露出した導線８１が保護されず、生産時に接触や引っかかりにより脱落しやすく、全体の直列ランプ装置がこのために失効し、製品の歩留りを高めることができないという欠点を発生した。
【０００６】
上述の二種類の直列ランプ装置は同じ欠点を有している。即ち、両者はいずれも小バルブを使用するが、小バルブは電力を消耗し発熱しやすく、且つ使用寿命が比較的短い、ということである。これに対して、発光ダイオードは節電で発熱せず、使用寿命が長い。
【０００７】
【考案が解決しようとする課題】
本考案の主要な目的は、一種のチューブ型発光ダイオードランプ装置を提供することにある。それは、プラスチック管体内に径方向に複数の発光ダイオードが設置され、管体が良好な側方向光源を具備するものとされ、また、管体内にさらに一つの貫通孔が設けられて、発光ダイオードのピン及び導線がいずれもそのなかに収容され、一環作業で生産されて外界物に引っ掛かり損壊しにくいチューブ型発光ダイオードランプ装置であるものとされる。
【０００８】
【課題を解決するための手段】
請求項１の考案は、チューブ型発光ダイオードランプ装置において、外管中にプラスチック管体が設けられ、該プラスチック管体の断面の中央より一側に偏った位置に１本の貫通孔が開設され、別に該貫通孔の管体の肉厚の方向に向けて一定距離ごとにランプ孔が開設され、
２本の金属線束がプラスチック管体に対称に嵌設され、
複数の発光ダイオードがプラスチック管体のランプ孔中に挿入され、そのピンが貫通孔内で折り曲げられて八字状とされると共に、導線で直列に連接され、発光ダイオード、導線が完全にプラスチック管体内に被包されたことを特徴とする、チューブ型発光ダイオードランプ装置としている。
請求項２の考案は、請求項１記載のチューブ型発光ダイオードランプ装置において、プラスチック管体のランプ孔の外端に、プラスチック管体外側に径方向に沿って１本の導光溝が凹設されたことを特徴とする、チューブ型発光ダイオードランプ装置としている。
【０００９】
【考案の実施の形態】
本考案のチューブ型発光ダイオードランプ装置は、外管中にプラスチック管体が設けられ、該プラスチック管体の断面の中央よりやや一側に偏って１本の貫通孔が開設され、別に該貫通孔が管体の肉厚方向に向けて一定距離ごとにランプ孔が開設され、別に２本の金属線束が対称に管体の適当な位置に嵌め込まれ、複数の発光ダイオードが管体のランプ孔中に挿入され、管体の側方向光源が充足させられ、そのピンが貫通孔内で折り曲げられて八字状とされると共に、導線で直列に連接され、発光ダイオード、導線が完全に管体内に被包され、引っ掛かりや接触による損壊を発生しにくい。
【００１０】
【実施例】
図１、２に示されるように、本考案は、外管１中にプラスチック管体１０が設けられ、該プラスチック管体１０の内部を貫通するよう１本の貫通孔１１が開設され、該貫通孔１１のプラスチック管体１０の肉厚が深い方向に向けて、一定距離ごとにランプ孔１２が開設され、プラスチック管体１０のこれらランプ孔１２の外端に、プラスチック管体１０の外側に径方向に沿って１本の浅い導光溝１３が凹設されている。
【００１１】
２本の金属線束２０が対称にプラスチック管体１０の適当な位置に嵌設されている。
【００１２】
複数の発光ダイオード３０がプラスチック管体１０のランプ孔１２中に挿入され、そのピン３１が貫通孔１１内の位置で折り曲げられて八字状とされると共に、導線４０で直列に連接され、発光ダイオード３０、導線４０が完全にプラスチック管体１０中に被包され、良好な側方向光源を具備するほか、損壊しにくいものとされている。
【００１３】
【考案の効果】
本考案はその巧みな設計により、以下のような長所を有している。
１．本考案の発光ダイオードはプラスチック管体の径方向位置に設けられ、これにより、ランプ装置が良好な側方向発光機能を具え、これが本考案の主要な特徴である。
２．本考案の発光ダイオードのピンと導線間は完全にプラスチック管体の貫通孔に被包され、これにより、加工上、一環作業が行なえ、加工時間を節約でき、且つ完成した後に外部の引っ張り或いは接触による脱落が発生しにくく、これが本考案のもう一つの長所である。
３．本考案は周知の小バルブの使用を発光ダイオードに改め、直列ランプ装置の使用寿命を延長し、且つ節電でき発熱しにくく、使用上の安全性を増し、これが本考案のさらにもう一つの長所である。
【００１４】
以上の実施例は本考案の実施範囲を限定するものではなく、本考案に基づきなしうる細部の修飾或いは改変は、いずれも本考案の請求範囲に属するものとする。なお、本考案はその出願前に頒布された刊行物にその記載がなく、また公開使用されておらず、新規性を有している。
【図面の簡単な説明】
【図１】本考案の構造表示図である。
【図２】本考案の構造断面図である。
【図３】第１種の周知の構造表示図である。
【図４】第２種の周知の構造表示図である。
【符号の説明】
１　外管　　　　　１０　管体
１１　貫通孔　　　１２　ランプ孔
１３　導光溝　　　２０　金属線束
３０　発光ダイオード　　３１　ピン
４０　導線　　　　　　　５　外管
５０　管体　　　　　　　５１　貫通孔
５２　金属線束　　　　　６０　小バルブ
７　外管　　　　　　　　７０　管体
７１　金属線束　　　　　７２　ランプ孔
８０　小バルブ　　　　　８１　導線
【図１】
0003098466.tif 000003
【図２】
0003098466.tif 000004
【図３】
0003098466.tif 000005
【図４】
0003098466.tif 000006